(57)【要約】【課題】  テラスデッキ等に敷設される床板を支持する高さ調整可能な床支持装置に関し、床の高さが大きく変化する床支持に用いることができて適応性に優れ、また施工性にも優れた床支持装置を提供することを課題とする。【解決手段】  基板部１２及びこの基板部に立設され内周壁に螺子溝が設けられた筒体部１４を有する基礎部２と、上記基礎部２の上部に配置され、上記筒体部１４の上部に嵌合可能な嵌合筒部２４，２５、及びこの嵌合筒部２４，２５の上部に設けられ、内周壁に螺子溝が形成され上記筒体部１４と同一の筒径の筒部２２を有する中間筒部４と、床材が配置される受け部３６、及びこの受け部３６の下部に形成され、上記中間筒部４の筒部２２と螺合する螺子溝が外周壁に設けられた螺子部３４を有する床材受部６と、を具備する構成である。【選択図】  図１
2011052430.tif 000002
【特許請求の範囲】
【請求項１】
基板部及びこの基板部に立設され内周壁に螺子溝が設けられた筒体部を有する基礎部と、
上記基礎部の上部に配置され、上記筒体部の上部に嵌合可能な嵌合筒部、及びこの嵌合筒部の上部に設けられ、内周壁に螺子溝が形成され上記筒体部と同一の筒径の筒部を有する中間筒部と、
床材が配置される受け部、及びこの受け部の下部に形成され、上記中間筒部の筒部と螺合する螺子溝が外周壁に設けられた螺子部を有する床材受部と、を具備することを特徴とする床支持装置。
【請求項２】
上記基礎部の基板部は、上面部に対して斜面状に形成される下面部を有する一方、この基板部の下部に配置され、上部の係合面部に対して斜面状に形成される下部の設置面部を有し、上記基板部と係合しつつ相対回転可能な勾配設置部を具備することを特徴とする請求項１記載の床支持装置。
【請求項３】
上記基礎部と上記床材受部との間に、上記中間筒部を複数段重ねて配置したことを特徴とする請求項１又は２記載の床支持装置。
【発明の詳細な説明】
【技術分野】
【０００１】
本発明は、テラスデッキ等に敷設される床板を支持する高さ調整可能な床支持装置に関する。
【背景技術】
【０００２】
近年、テラス或いは建物の屋上等では、基礎面上に床板を敷設して広場或いは通路として活用することが多く行われている。上記基礎面は、雨水などを流出させるために一定の勾配を付けており、このため床面を水平に保つためには床板を支持する支持脚の高さを加減する必要がある。
【０００３】
ここで例えば特許文献１には図６に示すように、ブロック上に建築する面の傾斜を調整する装置の記載がある。この装置は、より大きな高さ変更に際しては付加的ねじ切り中間要素５０を組み合せたものである。この付加的中間要素５０は、ブロックの基部５２に係合でき、かつその上部５４と共働する。上記ブロックは、テラス、急勾配床にアクセスできる屋根葺き、水の停滞を回避するための屋根葺き等に利用できる。
【０００４】
また特許文献２には、建物屋上における浮き床板の固定工法に用いる支持装置が開示されている。この支持装置は、上下に伸縮自在の基台上に案内板等が取り付けられ、この基台の最下部には屋根上載置部が、またこの上に立上り筒部が形成されている。また、この支持装置は、立上り筒部の内壁に螺合される下調整ネジ筒、及びこの下調整ネジ筒の内壁空洞部に螺合される上調整ネジ筒を有している。そして、上記下調整ネジ筒及び上調整ネジ筒を回転させて受け台面の高さを自在に調整するというものである。
【先行技術文献】
【特許文献】
【０００５】
【特許文献１】特許第３８５１０８５号公報
【特許文献２】特開２００１−１７３２０４号公報
【発明の概要】
【発明が解決しようとする課題】
【０００６】
しかし、特許文献１の傾斜調整用装置は、基部５２、中間要素５０及び上部５４の組み合せでしか使用できないため、中間要素５０を増設したり、或いは中間要素５０のない装置の構成はできないため、拡張性に欠け高さ調整範囲が制限されるという問題がある。
特許文献２の支持装置についても、屋上載置部、下調整ネジ筒及び上調整ネジ筒の組み合せでしか使用できないため、上記と同様の問題が予想される。
また、比較的広い範囲にわたってデッキ材を水平に敷設する場合、水勾配が設けられたスラブ面では、水上と水下とでは床面とスラブ面間には高さに大きな差が生ずることになり、高さ調整の範囲が大きくとれる床支持装置が望まれている。
【０００７】
本発明は上記問題点を解決するためになされたものであり、床の高さが大きく変化する床支持に用いることができて適応性に優れ、また施工性にも優れた床支持装置を提供することを目的とする。
【課題を解決するための手段】
【０００８】
以上の技術的課題を解決するため、本発明に係る床支持装置は、図１等に示すように、基板部１２及びこの基板部に立設され内周壁に螺子溝が設けられた筒体部１４を有する基礎部２と、上記基礎部２の上部に配置され、上記筒体部１４の上部に嵌合可能な嵌合筒部２４，２５、及びこの嵌合筒部２４，２５の上部に設けられ、内周壁に螺子溝が形成され上記筒体部１４と同一の筒径の筒部２２を有する中間筒部４と、床材が配置される受け部３６、及びこの受け部３６の下部に形成され、上記中間筒部４の筒部２２と螺合する螺子溝が外周壁に設けられた螺子部３４を有する床材受部６と、を具備する構成である。
【０００９】
本発明に係る床支持装置において、上記基礎部２の基板部１２は、上面部に対して斜面状に形成される下面部を有する一方、この基板部１２の下部に配置され、上部の係合面部に対して斜面状に形成される下部の設置面部を有し、上記基板部１２と係合しつつ相対回転可能な勾配設置部３を具備する構成である。
【００１０】
本発明に係る床支持装置は、上記基礎部２と上記床材受部６との間に、上記中間筒部４を複数段重ねて配置した構成である。
【発明の効果】
【００１１】
本発明に係る床支持装置によれば、基板部及び筒体部を有する基礎部と、基礎部の上部に配置され、筒体部と嵌合可能な嵌合筒部の上部に設けられ、内周壁に螺子溝が形成され筒体部と同一の筒径の筒部を有する中間筒部と、受け部及び螺子部を有する床材受部と、を具備する構成としたから、高さ範囲を大きく変えられるため、床の高さが大きく変化する床支持に用いることができて適応性に優れ、また部品の種類も増やす必要がないため省力化が図れ、また施工性にも優れた効果を奏する。
【００１２】
本発明に係る床支持装置によれば、斜面状の下面部を有する基板部の下部に配置され、係合面部に対して斜面状に形成される設置面部を有する勾配設置部を具備する構成としたから、基礎面の水勾配の傾斜角度に応じて設置面の角度が調整できることから、適応性に優れるという効果がある。
【００１３】
本発明に係る床支持装置によれば、基礎部と床材受部との間に、中間筒部を複数段重ねて配置した構成としたから、中間部材を増減することで簡単にかつ広い範囲の高さの調整が行えて便利であるという効果がある。
【図面の簡単な説明】
【００１４】
【図１】本発明の実施の形態に係る床支持装置（中間筒部一段使用）の、（ａ）分解斜視図、（ｂ）斜視図、（ｃ）断面図である。
【図２】実施の形態に係る中間筒部の斜視図（ａ）（ｂ）である。
【図３】実施の形態に係る床支持装置（中間筒部二段使用）の、（ａ）分解斜視図、（ｂ）斜視図、（ｃ）断面図である。
【図４】実施の形態に係る床支持装置の（中間筒部不使用）の、（ａ）分解斜視図、（ｂ）斜視図、（ｃ）断面図である。
【図５】他の形態に係る床支持装置の断面図である。
【図６】従来例に係る斜視調整用装置を示す図である。
【発明を実施するための形態】
【００１５】
以下、本発明に係る床支持装置の実施の形態を図面に基づいて説明する。
図１は、上記床支持装置の一形態を示す。この床支持装置１は、基礎部２、勾配設置部３、中間筒部４及び床材受部６からなり、それぞれ合成樹脂材による成形部材である。
【００１６】
上記基礎部２は、円板状の基板部１２から円筒状の筒体部１４が立設された形状である。この基板部１２は、中空円板状で上面部１１に対して下面部１３はなだらかな斜面状（断面楔状）に形成されている。また基板部１２の中央の孔部には、中心に向けて円環状に形成された断面凸状の係合凸部１８が形成されている。上記筒体部１４の内周壁には、下記床材受部６の螺子部３４と螺合可能な螺子溝２０が形成されている。
【００１７】
上記筒体部１４は、上記基板部１２の中央から一体的に立設形成されている。また、基板部１２の上面部１１から筒体部１４の上部にかけて傾斜状に、複数（ここでは８個）の三角板状のリブ部１５が等間隔に形成されている。上記リブ部１５は、筒体部１４の立設強度を補強する。また、基板部１２の上面部１１には、上記各リブ部１５間に孔部１７が形成されている。この孔部１７は、接着剤を充填して基板部１２を勾配設置部３に固定する場合などに用いる。
【００１８】
上記勾配設置部３は、基礎部２の下部に設けられ、上部の係合面部１９に対してなだらかな斜面状に形成される下部の設置面部２３を有し、上記基板部１２と係合しつつ相対回転可能な円板状の部材である。
勾配設置部３の中央の上部は環状に膨出し、この部位の外周側には円環状に形成された断面凹状の係合凹部１６が形成されている。
【００１９】
上記勾配設置部３の係合凹部１６は、上記基板部１２の係合凸部１８と係合し、両者が係合した状態で勾配設置部３は基板部１２に対して相対回動可能である。
このとき、勾配設置部３及び基板部１２の板厚はそれぞれ断面が楔状の勾配を有する形状であるため、両者の相対回動により、基板部１２の上面部１１を水平に維持した状態で、勾配設置部３の設置面部２３は所望する傾斜角度に調整することができる。これにより、勾配のある基礎面８に勾配設置部３の設置面部を載置し、基板部１２を回転調整することで、これと一体の筒体部１４を鉛直方向に立設させ床材受部６の受け部３６の上面を水平に維持できる。
【００２０】
上記中間筒部４は図２にも記載されるように、円筒状の筒部２２及びこの筒部２２の下部側に形成され内径及び外径が拡径した嵌合筒部２４を有している。この嵌合筒部２４により、内周壁には環状に係合段部２６が形成され、この係合段部２６は筒部２２の下端面を構成する形態である。また、筒部２２の内周壁には螺子溝２１が形成されている。この螺子溝２１は、上記筒体部１４の内周壁の螺子溝２０と同一（径及びピッチ）の形状である。
【００２１】
また、中間筒部４の筒部２２の筒径（内径及び外径）は、それぞれ上記基礎部２の筒体部１４の筒径（内径及び外径）と同じ大きさである。また、中間筒部４の嵌合筒部２４の内径は、基礎部２の筒体部１４の外径より僅かに大きく形成されており、嵌合筒部２４は基礎部２の筒体部１４に外嵌可能である。
【００２２】
また上記嵌合筒部２４には、下部から上向きに切り込んだ嵌合凹部２８が複数（ここでは８箇所）等間隔に形成されている。この嵌合筒部２４の嵌合凹部２８は、上記筒体部１４の周囲に形成されたリブ部１５とは円周上の位置が対応しており、各嵌合凹部２８はそれぞれ各リブ部１５との嵌合が可能である。
【００２３】
これにより基礎部２の筒体部１４上部に、上記中間筒部４の嵌合筒部２４を嵌めて重ねることができ、基礎部２の各リブ部１５に上部の中間筒部４の各嵌合凹部２８が嵌合した状態で嵌め込まれ、両者の相対回転は阻止される。またこのとき、筒体部１４の上端部には中間筒部４の係合段部２６が載置された状態である。
上記嵌合筒部２４には、２箇所にビス孔３０が形成されており、これらは基礎部２の上部に中間筒部４を固定する際に、ビスを挿通する孔として用いられる。
【００２４】
また、上記中間筒部４の筒部２２の外周壁の上部には、外向きに突出した嵌合凸部３２が複数（ここでは８箇所）形成されている。これら各嵌合凸部３２は、上記各嵌合凹部２８の真上の位置にそれぞれ形成されている。上記筒部２２に対する嵌合凸部３２の配置間隔は、上記基礎部２の筒体部１４に対するリブ部１５の配置間隔と同じであり、また嵌合凸部３２の周囲方向の幅はリブ部１５の板幅と同じである。
【００２５】
このため、中間筒部４の上部に他の中間筒部４の嵌合筒部２４を嵌め込むことが可能であり、このとき下部の中間筒部４の上端部に上部の他の中間筒部４の係合段部２６が載置され、両中間筒部４は二段に重合する。また、下部の中間筒部４の各嵌合凸部３２に上部の中間筒部４の各嵌合凹部２８が嵌合し両者は相対回転しない。
【００２６】
上記床材受部６は、床材（根太材など）を配置する円板状の受け部３６、及びこの受け部３６の下部に一体形成された円筒状の螺子部３４を有する形状である。上記螺子部３４には、外壁外周に螺子溝３５が形成されている。この螺子部３４は、上記中間筒部４の螺子溝２１と螺合しまた上記基礎部４の筒体部１４の螺子溝２０とも螺合する。
また上記受け部３６には中心対称な２箇所に孔部３８が形成され、受け部３６の下部には補強部４０が形成されている。
【００２７】
図１に示す床支持装置１は、中間筒部４を１つ用いたものである。この床支持装置１は、基礎部２の上部に中間筒部４を配置し、この中間筒部４の上部に床材受部６を螺設した形態である。基礎部２の筒体部１４上部に中間筒部４の嵌合筒部２４を配置し、基礎部２の各リブ部１５に中間筒部４の各嵌合凹部２８を嵌め込んで固定する。また、中間筒部４のビス孔３０からビスをねじ込み、中間筒部４を基礎部２の筒体部１４に固定する。
【００２８】
上記床材受部６は、螺子部３４を中間筒部４の螺子溝２１にねじ込み、さらに床材受部６を回して高さを加減する。
この床支持装置１は、中間筒部４を介在させることで高さを高くし、また床材受部６の螺子部３４のねじ込みを加減することで、螺子部３４の高さの範囲で床支持装置１の高さを調整することができる。
【００２９】
図３に示す床支持装置４２は、上記中間筒部４を２つ用いて二段重ねとした形態である。
この床支持装置４２は、基礎部２の上部に第一の中間筒部４を配置し、この上部に第二の中間筒部４を配置し、この第二の中間筒部４の上部に床材受部６を螺設したものである。
【００３０】
上記中間筒部４の嵌合筒部２４は、基礎部２の筒体部１４と嵌合可能であるとともに他の中間筒部４の筒部２２と嵌合可能な形状であり、中間筒部４同士を二段以上複数段に重ねて配置することができる。
この床支持装置４２は、中間筒部４が１つでは床支持装置の高さが足りない場合に用いる。また、中間筒部４を二段重ねとしても床支持装置４２の高さが足りない場合は、さらに中間筒部４を３段重ね或いはそれ以上に重ねて高くすることができる。
【００３１】
図４に示す床支持装置４３は、上記中間筒部４を用いない形態である。この床支持装置４３は、基礎部２の上に直接床材受部６を螺設する。上記基礎部２は、筒体部１４の螺子溝２０を筒部２２の螺子溝２１と同一大きさの形状としており、この基礎部２に床材受部６を螺設することができる。
【００３２】
この床支持装置４３は、床高の低い位置に床支持装置４３を配置する場合等に用いる。この床支持装置４３は、床材受部６の螺子部３４のねじ込みを加減することで、螺子部３４の高さの範囲で床支持装置１の高さを調整することができる。
【００３３】
上記床支持装置１，４２，４３は、テラス或いは建物の屋上など、一定の勾配を付けた基礎面８に配置して用いる。このとき、勾配設置部３及び基板部１２はそれぞれ板厚に勾配を設けた形状であるため、両者の相対回動により、基板部１２の上面部を水平に維持した状態で、勾配設置部３の設置面部は基礎面８の傾斜角度に一致するよう調整することができる。
なお、勾配設置部３を外して基板部１２を基礎面８に設置する形態も可能である。この場合には、基板部１２の下面部の角度はこの下面部の傾斜角度に固定される。
【００３４】
通常、基礎面の水上側には高さの低い床支持装置４３を設置し、中間部には床支持装置１（中間筒部４一段）を設置し、水下側には高さの高い床支持装置４２（中間筒部４二段以上）を設置し、各床支持装置の高さを加減して各床材受部６の高さが全体に水平になるように調整する。
そして、各床支持装置間に根材材（断面ハット状の鋼製）を架設し、根太材のフランジ部と床材受部６の孔部３８をネジ等の止着具を用いて固定する。上記根太材を平行に配置し、これと直交する方向にデッキ材を並べて敷設する。
【００３５】
従って、上記床支持装置は、中間筒部を増減するのみで高さの範囲を大きく変えることができるため、種々の高さの床支持に用いることができて有用であり、また部品の種類も増やす必要がないため省力化が図れ、また経済性にも優れる。
また上記床支持装置は、高さ調整の範囲が大きいため、水勾配が設けられた広い基礎面にデッキ材を敷設する場合であっても有効に使用することができる。
【００３６】
なお、上記床支持装置で用いた中間筒部４は、嵌合筒部２４が筒部２２に対して拡径した形状であるが、これは図５に示すように筒部２２に対して縮径した形状の嵌合筒部２５とした中間筒部５とする形態も可能である。この中間筒部５は、筒部２２と嵌合筒部２５との間に環状の係合段部２７が形成されている。
図５に示す床支持装置４４は、上記中間筒部５を２つ用いて二段重ねとした形態である。
【００３７】
上記床支持装置４４は、基礎部２の上部に中間筒部５を配置する場合、基礎部２の筒体部１４に中間筒部５の嵌合筒部２５を内嵌させて取り付ける。このとき、基礎部２の筒体部１４の上端部に中間筒部５の係合段部２７が載置される。また、この中間筒部５の上部に他の中間筒部５を重ねて配置した場合、下部側の中間筒部５の筒部２２に上部側の中間筒部５の嵌合筒部２５を内嵌させる。このとき、下部側の中間筒部５の上端部に上部側の中間筒部５の係合段部２７が載置される。
この形態の中間筒部５についても、中間筒部５同士を複数段に重ねて配置することができる。また、この床支持装置４４についても、上記床支持装置１，４２等と同様な作用効果が得られる。
【符号の説明】
【００３８】
２  基礎部
３  勾配設置部
４  中間筒部
６  床材受部
１２  基板部
１４  筒体部
１５  リブ部
２２  筒部
２４，２５  嵌合筒部
３４  螺子部
３６  受け部
【図１】
2011052430.tif 000003
【図２】
2011052430.tif 000004
【図３】
2011052430.tif 000005
【図４】
2011052430.tif 000006
【図５】
2011052430.tif 000007
【図６】
2011052430.tif 000008